(57)【要約】【課題】この発明は、スチーム施療後の排水トレー内の熱水を安全に廃棄できる構造の排水トレーを提供することを目的とする。【解決手段】本発明の排水トレーは、筐体のトレー挿入口に着脱自在に挿入され、スチーム発生器からの排水を回収して廃棄する箱状の排水トレーにおいて、上記トレーのコーナーに排水が少しづつ流入または流出するための隙間を空けて２枚の仕切り板を設け、上記仕切板とトレー壁面で仕切られた小空間以外の上記トレーの上面を密閉する。さらに、前記排水トレーの後方の形状を湾曲させると共に前記筐体への排水トレーの誤挿入を防止するためのリブを設ける。あるいは前記排水トレーの上方に筐体へのトレーの挿入を検知させるための磁石を設ける。【選択図】      図４
2004309041.tif 000002
【特許請求の範囲】
【請求項１】
筐体のトレー挿入口に着脱自在に挿入され、スチーム発生器からの排水を回収して廃棄する箱状の排水トレーにおいて、
上記トレーのコーナーに排水が少しづつ流入または流出するための隙間を空けて２枚の仕切り板を設け、上記仕切板とトレー壁面で仕切られた小空間以外の上記トレーの上面を密閉したことを特徴とする排水トレー。
【請求項２】
前記排水トレーの後方の形状を湾曲させると共に前記筐体への排水トレーの誤挿入を防止するためのリブを設けたことを特徴とする前記請求項１記載の排水トレー。
【請求項３】
前記排水トレーの上方に筐体へのトレーの挿入を検知させるための磁石を設けたことを特徴とする前記請求項１または２記載の排水トレー。
【発明の詳細な説明】
【０００１】
【発明の属する技術分野】
この発明は、美容用等のスチーム発生器から生じる排水の受け皿トレーの改良された構造に関する。
【０００２】
【従来の技術】
美容や医療用に霧状のスチーム（水蒸気）を顔や手等に吹きかける方法が知られている。例えば、図１は美容用のスチーム発生器を含む筐体１の全体図を示す。図１の３は、筐体１内の電熱釜で発生した細かい霧状のスチーム３が筐体表面の噴出口２から発生しているところを示す。該噴出口２から間違って熱い水滴が飛ぶとやけどをしてしまう危険があるので、筐体内部の釜で発生した水蒸気は途中の経路にはいくつかのトラップ構造を設け、冷えて水滴化した熱水を回収する機構が設けられている。
【０００３】
この構造を図５に示す。図５において、湯釜２１で発生した水蒸気はＪｏｉｎｔ−Ａ（２４）を介してセパレータ２２内を上昇し、ノズル２３から噴出される。上記のように冷えて水滴化した湯滴は矢印２８の如くセパレータ内を下降してセパレータ下部に溜まり、Ｊｏｉｎｔ−Ｂ（２５）を介して湯釜２１に戻る。戻った湯滴はまた水蒸気になるので、基本的に湯釜２１内に水分の残留はない構造であるが、湯釜の構造に段差があることや湯沸かし停止検知点が湯釜底に取り付けられたサーモスタットにより行われる等に起因して上記構造内の水は１００％気化することができず、湯釜の底やＪｏｉｎｔ−Ｃ（２６）内に少量の水が残留する。また、例えば、給水１００に対して５０しか気化しない場合でも「２度沸かしは水の性質が変化する。」等の理由により、残留水を排出させる必要がある。
【０００４】
このようにして回収された熱水は排水管を経由して筐体下部に設けられた排水トレー内に排水される。排水トレーは図４の如く、箱形をしていて図１，図２の排水トレー挿入口４内に引き出し可能に挿入されている。
【０００５】
上記スチーム施療の完了後、使用前あるいはその他適当な時に排水トレー内の排水は外部に捨てられる。ただ、いくら冷えて液化したとしても温度は高いので、スチーム施療後直ぐ排水トレーの排水を廃棄する場合、該熱い排水が手に掛かったりするとやけどをする危険がある。特に、排水トレーの上面が全部開口している通常の箱形トレーの場合、急激に排水トレーを傾けると排水が勢いよく飛び出し、手等に掛かってやけどをする危険が大きい。
【０００６】
【発明が解決しようとする課題】
この発明は、上記スチーム施療後の排水トレー内の熱水を安全に廃棄できる構造の排水トレーを提供することを目的とする。
【０００７】
【課題を解決するための手段】
上記問題を解決するために、本願発明の排水トレーは、筐体のトレー挿入口に着脱自在に挿入され、スチーム発生器からの排水を回収して廃棄する箱状の排水トレーにおいて、上記トレーのコーナーに排水が少しづつ流入または流出するための隙間を空けて２枚の仕切り板を設け、上記仕切板とトレー壁面で仕切られた小空間以外の上記トレーの上面を密閉したことを特徴とする。
【０００８】
さらに、前記排水トレーの後方の形状を湾曲させると共に前記筐体への排水トレーの誤挿入を防止するためのリブを設けたこと、あるいは前記排水トレーの上方に筐体へのトレーの挿入を検知させるための磁石を設けたことを特徴とする。
【０００９】
【発明の実施の形態】
本願発明の実施例を添付の図面に従って説明する。
前述のように、図１は美容用のスチーム発生器を含む筐体１の全体図を示し、筐体内の電熱釜で発生した細かい霧状のスチーム３が筐体表面の噴出口２から発生しているところを示す。該噴出口２から間違って熱い水滴が飛ぶとやけどをしてしまう危険があるので、筐体内部の釜で発生した水蒸気は途中の経路で何回も冷えて水滴化した熱水を回収するトラップ機構が設けられている。
【００１０】
前述の如く、図５において湯釜の底やＪｏｉｎｔ−Ｃ内に残留した熱水や気化しない湯釜中に残留している熱水は、排水管を経由して筐体下部に設けられた排水トレー１０内に排水される。図２は、排水ボタン５を押して排水トレー挿入口４内の排水トレー内に前記排水管内の熱水を排水するところを示している。
【００１１】
排水トレーは図４の如く、箱形をしていて排水トレー挿入口４内に引き出し可能に挿入されている。また、排水トレー１０内の前方コーナーには２枚の仕切板１２，１３が若干の隙間１４を空けて直角方向に設けられており、上記２枚の仕切板１２，１３及び前記排水トレー１０の側壁で形成される筐体の上部の略正方形の空間のみが排水口１５として外部に開いている。すなわち、該開放された開口部１５以外の筐体上部はプラスチック材で覆われており、密閉構造となっている。ただし、排水トレーの内部には図示されない小さな孔が空けられており、該孔は上記排水時の流量を調整する構造となっている。なお、上記トレーの材質は熱伝導性の悪い透明なプラスティックが望ましい。
【００１２】
上記トレーの後方の形状は、図４の１８に示す如く湾曲しており、また一方の端には耳状のリブ１７が突出している。上記湾曲形状やリブ１７は、前記排出トレー挿入口の奥の筐体側に上記形状と合致する形状が設けられているので、上記排水トレーが誤って上下や左右が逆になって前記トレー挿入口に挿入されるのを防止している。
【００１３】
筐体側の前記排水管の下部は、上記トレーがトレー挿入口に挿入された時の上記排水口１５の上方に位置しており、前記排水ボタン５を押して上記排水管から排水される水は上記排水口１５から排水トレー１０内に滴下してトレー内に貯められる。なお、別途提案される如く、排水トレーが満杯になると排水管からの排水はストップされる。また、排水トレー挿入口４の上部の筐体には感磁素子が設けられており、該感磁素子は前記排水トレーが奥まできちんと挿入されたとき、排水トレーの上部に設けられた磁石１１と対応する位置に設けられているので、排水トレーがトレー挿入口４内に奥まで挿入されていない場合は前記排水ボタン５の作用を禁止する。従って、排水トレーが挿入されていない状態で排水管からの排水がなされることはない。これら２つの機能も熱水によるやけどの危険を防止している。
【００１４】
このようにして集められた排水は、図３に示す如く、トレーを筐体より引き出し、手に持って傾けることにより上記排水口１５から排水される。このとき、筐体内部に貯められた排水は、前記仕切板の隙間１４を介して徐々に排水口１５から排水されるので、排水が勢いよく流れ出すことはなく、徐々に少しづつ行われると共に排水口１５も小さいので、図３の排水作業時熱水が手に掛かる心配がない。
【００１５】
【発明の効果】
以上述べたように、この発明の排水トレーは、熱いお湯となっている排水トレー内の排水を手で安全に廃棄することができる。
【図面の簡単な説明】
【図１】本発明の排水トレーが用いられる筐体の全体図である。
【図２】排水時の排水ボタンの操作を示す図である。
【図３】排水トレー内の水の廃棄する動作を示す図である。
【図４】本発明の排水トレーの全体図である。
【図５】本発明のスチーム発生器の排水構造の全体概念図である。
【符号の説明】
１      筐体
２      スチーム
４      排水トレー挿入口
５      排水ボタン
１０      排水トレー
１１      磁石
１２，１３      仕切板
【図１】
2004309041.tif 000003
【図２】
2004309041.tif 000004
【図３】
2004309041.tif 000005
【図４】
2004309041.tif 000006
【図５】
2004309041.tif 000007